(57)【要約】      （修正有）【課題】フレキシブル基板と端子との結合強さが大幅に向上し、フレキシブル基板のスリップを有効に防止することができるコネクターを提供する。【解決手段】主にファスナー４の両端で枢部を設置し、コネクターの本体と繋がり、また端子３の支え腕３３との対応位置に空き穴４２を設置し、空き穴の内壁に回転枢４３を設置する。この端子の支え腕の前端は空き穴に伸入できる弾圧部３３１と、回転枢と協力できる凹部３３２、また端子の接触腕３２の前端で導引腕３４を設置する。この導引腕はそれぞれの第一凸部３４１と第二凸部３４２があり、ファスナーが完全的に閉められると、弾圧部と凹部は緊実な弾力性でファスナーの回転枢を抑え、ファスナーが閉められたスペーシングを作ることができる。その同時に、導引腕の第一凸部とフレキシブル基板１の抑圧し掴む作用が形成され、第二凸部とプラグホール２１の内壁を寄り掛かることから支える作用が形成される。【選択図】図３
0003106783.tif 000002
【実用新案登録請求の範囲】
【請求項１】
一種のコネクターであって、主に本体ではプラグホールを設置し、プラグホールに端子を固設し、そのプラグホールの片側で端子とフレキシブル基板がお互いに抑圧できるファスナーを設置し、その中に、この端子はその基部の上でプラグホールの内部に挿し込んだ接触腕と支え腕があり、その支え腕の前端では弾圧部および凹部を設置し、そのファスナーの両端で枢部を設置することによって本体と繋がり、そして端子の支え腕と対応する位置に空き穴を設け、空き穴の内壁に回転枢があることを特徴とするコネクター。
【請求項２】
その端子の接触腕の前端では導引腕を設置し、その導引腕はそれぞれフレキシブル基板とプラグホールの内壁へ突き出伸ばした長さ固定の第一凸部と第二凸部があり、この端子の支え腕の前端の弾圧部は曲がりくねった状態であるため、ファスナーの空き穴に伸入でき、弾性的な変形作用を具え、またこのファスナーの回転枢部は浮かんで突き出ている形を呈することを特徴とする請求項１に記載のコネクター。
【請求項３】
この端子の支え腕の前端の弾圧部とファスナーが閉める時、ファスナーの回転枢部は凹部の弧度に従って回転し、そしてファスナーが完全的に閉める時、弾圧部と凹部はファスナーの回転枢を緊密的に寄って抑圧し、ファスナーが掛けられた後のスペーシングを作り、作用力を与えないと、反転できない、ということを特徴とする請求項１に記載のコネクター。
【考案の詳細な説明】
【技術分野】
【０００１】
本考案は、一種のコネクターに関する。特にフレキシブル基板（Flexible Printed
Circuit Board、FPCBと略称する）のスリップを有効に防止することができる一種のコネクターを指している。
【背景技術】
【０００２】
フレキシブル基板は電子製品に欠けてはいけない基礎部品である。その組合せはある『動作機能』の電気回路に応用すれば、変わる特性を備えている。そのために、産業では重さが軽くて厚さが薄い、また廻ることができるフレキシブル基板を発展している。このフレキシブル基板が製品に応じて更に空間の大きさと形を利用し、３次元空間の配線性を行うことができる。そうすると、軽、薄、小という特性に一致する電子、通信と軍事製品が必ずそれを使わせなければならない。
【０００３】
フレキシブル基板は軽薄で、また廻れる特性を持つため、電気電気回路と結びつける時、図１に示す如く、フレキシブル基板１’の結び端に、その他のコネクター２’を通して接続し、その接続した部位の機械の強さを増加する。このコネクター２’は本体にプラグホール２１’を設置し、そのため端子２２’が固設することができる。また、このフレキシブル基板１’はプラグホール２１’の中に伸入し、そしてファスナー２３’に応じてフレキシブル基板１’と端子２２’の接触腕を緊密的に接触し、端子２２’からフレキシブル基板１’とコネクター２’が配置した電気回路を相互連結することを構成する。また、フレキシブル基板１’が結びつけた電気回路と共に運営して運動する時、そのフレキシブル基板１’はコネクター２’の間に必ずある程度の引っ張る作用を形成し、お互いに離れる現象をもたらす；そこで、コネクター２’での端子２２’の構造はその接触腕２２１’とフレキシブル基板１’との接触した片側に凸部２２２’を設置する。そのためフレキシブル基板１’はコネクター２’のファスナー２３’がまだ接触腕２２１’へ掛ける時、接触腕２２１’とファスナー２３’の間に伸入し、そしてファスナー２３’は接触腕２２１’に向かって抑える時、その接触腕２２１’は適切な弾力変形を生じることに協力する。それによってファスナー２３’の押えと位置付けに役に立つ。接触腕２２１’の弾性作用を利用し、凸部２２２’をフレキシブル基板１’に向かって互いに抑えさせる。そうすれば、フレキシブル基板１’と端子２２’との結合強さを増加することが期待できる。
【０００４】
しかし、習知コネクター２’は端子２２’の支え腕２２３’からファスナーに回転のスペーシングの作用を形成し、そのファスナー２３’が完全に閉める時、その端子２２’は接触腕２２１’の凸部２２２’とフレキシブル基板１’との抑圧作用が形成されたけど、その抑圧作用は接触腕２２１’の弾力作用から構成しただけ、そのために、フレキシブル基板１’に対しての抑圧作用はまだ不足である。しかも接触腕２２１’弾力作用も時間に従って衰えるようになり、接触腕２２１’とフレキシブル基板１’が形成した抑圧作用は下がって行く。そうすると、予想できない状況には、フレキシブル基板１’と電気回路の結びつけが不良になり、またフレキシブル基板１’のスリップをもたらす恐れもある。
【考案の開示】
【考案が解決しようとする課題】
【０００５】
本考案者はフレキシブル基板のコネクターのニーズに基づき、上述の習知コネクターから生じた欠点を改善し、更一歩にフレキシブル基板が応用したコネクターを創造し、産業上で利用するために供える。
【０００６】
本考案が採用した技術手段は、同様的に端子の基部で溝孔に伸入した支え腕を設置し、ファスナーはその両端で枢部を設置してコネクターの本体とを繋がっている。そして端子の支え腕との相対位置に空き穴を設置し、空き穴の内壁は浮かんで突き出ている形の回転枢であり、この端子の支え腕の前端には弧形で空き穴に伸入できる弾圧部および回転枢と協力できる凹部があり、たとえばファスナーが完全に閉める時、ファスナーの回転枢はちょうど支え腕の凹部に面している。そのため支え腕の前端の弧形な弾圧部と凹部が緊密的に寄って抑圧してスペーシングを作り、ファスナーの弾き出しを抑えることができ、更一歩にフレキシブル基板のスリップを有効に防止することができる。それは本考案の主要な目的である。
【０００７】
本考案の副次目的としては、その端子の構造にはコネクターのプラグホールの内部に挿し込んで、それによってフレキシブル基板と繋がることができる以外に、更に端子の接触腕の前端に導引腕を設置し、この導引腕はそれぞれフレキシブル基板とプラグホールの内壁に突き出た固定長さの第一凸部、第二凸部があり、導引腕の作用によってフレキシブル基板が接触腕とファスナーの間まで伸入することを正確的に導引する。ファスナーが閉められる時、接触腕と導引腕の適当な弾力変形作用を利用し、ファスナーの閉めること及び定位することに役に立つ。また、ファスナーが完全的に閉められる時、導引腕の第一凸部とフレキシブル基板によって抑圧し掴む作用が形成され、第二凸部とプラグホールの内壁を寄り掛かることから支える作用が形成される。そのため、導引腕の反向変形を制限することができ、また第一凸部がフレキシブル基板に対しての抑圧作用が維持することもできる。そうすると、フレキシブル基板と端子との強さが大幅に昇格され、そしてフレキシブル基板のスリップを有効に防止することができる。
【０００８】
本考案のもう一つの目的としては、このコネクターのプラグホールに他の弾片を設置することができ、その弾片とファスナーの枢部はお互いに抑圧し、また弾片と枢部の接触位置にファスナーが閉めた後の凹型ファスナーと凸型ファスナーを設置し、その凹型ファスナーと凸型ファスナーによって更一歩にファスナーのペーシングを強化する。そうすると、端子の接触腕と支え腕の弾力変形作用がなくなった時、ファスナーはまだ反向的な回転作用力を受けていないため、そのファスナーは弾き出さなくてフレキシブル基板と端子に安定的な抑圧作用をあげることができる。
【０００９】
本考案の更に一つの目的としては、この端子の支え腕の腕面とプラグホールの壁面との間に緩衝区域を形成し、フレキシブル基板がより厚い時、その接触腕が弾力変形を受ける他に、更に支え腕によって緩衝区域に２回の弾力変形を作ることができ、ファスナーの弾き出しと引き裂きを免れることができる。
【課題を解決するための手段】
【００１０】
本考案は、請求項１に記載のように、一種のコネクターであって、主に本体ではプラグホールを設置し、プラグホールに端子を固設し、そのプラグホールの片側で端子とフレキシブル基板がお互いに抑圧できるファスナーを設置し、その中に、この端子はその基部の上でプラグホールの内部に挿し込んだ接触腕と支え腕があり、その支え腕の前端では弾圧部および凹部を設置し、そのファスナーの両端で枢部を設置することによって本体と繋がり、そして端子の支え腕と対応する位置に空き穴を設け、空き穴の内壁に回転枢があることを特徴とする。
また、本考案は、上記請求項２に記載のように、その端子の接触腕の前端では導引腕を設置し、その導引腕はそれぞれフレキシブル基板とプラグホールの内壁へ突き出伸ばした長さ固定の第一凸部と第二凸部があり、この端子の支え腕の前端の弾圧部は曲がりくねった状態であるため、ファスナーの空き穴に伸入でき、弾性的な変形作用を具え、またこのファスナーの回転枢部は浮かんで突き出ている形を呈することを特徴とする。
さらに、本考案は、請求項３に記載のように、この端子の支え腕の前端の弾圧部とファスナーが閉める時、ファスナーの回転枢部は凹部の弧度に従って回転し、そしてファスナーが完全的に閉める時、弾圧部と凹部はファスナーの回転枢を緊密的に寄って抑圧し、ファスナーが掛けられた後のスペーシングを作り、作用力を与えないと、反転できない、ということを特徴とする。
【考案の効果】
【００１１】
本考案のコナクターは、フレキシブル基板と端子との結合強さが大幅に向上し、フレキシブル基板のスリップを有効に防止することができる。
【考案を実施するための最良の形態】
【００１２】
図２と図３が示した説明図をご参照ください。本考案のコネクターは主に本体２でプラグホール２１があり、プラグホール２１の中で端子３を固設し、フレキシブル基板１がプラグホール２１に伸入して端子３と継ぎ合わせるために供える。そしてプラグホール２１の片側で端子３とフレキシブル基板１がお互いに抑圧したファスナー４を設置し、これによってフレキシブル基板１と端子３と結合した強さが増加することができる。
【００１３】
前記した端子３の基部３１でコネクター２のプラグホール２１の内部に挿し込んでいた固定長さの接触腕３２と支え腕３３を設置し、この支え腕３３の前端には弧形で空き穴に伸入できる弾圧部３３１および回転枢と協力できる凹部３３２があり、またその接触腕３２の前端に導引腕３４を設置し、この導引腕３４はそれぞれフレキシブル基板１とプラグホール２１の内壁に突き出た固定長さの第一凸部３４１と第二凸部３４２があり、導引腕３４の作用によってフレキシブル基板１が接触腕３２とファスナー３２の間まで伸入することを正確的に導引する。またこの支え腕３３の腕面とプラグホール２１の壁面との間に緩衝区域を形成し、フレキシブル基板１がより厚い時、その接触腕３２が弾力変形を受ける他に、更に支え腕３３によって緩衝区域に２回の弾力変形を作ることができ、ファスナー２２の弾き出しと引き裂きを免れることができる。
【００１４】
前記のファスナー４は枢部４１とコネクターの本体２を繋がり、そして端子３の支え腕３３との相対位置に空き穴４２を設置し、空き穴４２の内壁は浮かぶ突き出た形の回転枢４３を表わしている。
【００１５】
そのため、図４に示す如く、ファスナー４が閉める時、このファスナー４の回転枢４３はちょうど支え腕３３の凹部３３２に面している。そして端子３の接触腕３２と導引腕３４の適当な弾力変形作用を利用し、ファスナー４の閉めること及び定位することに役に立つ。また、ファスナー４が完全的に閉められる時、支え腕３３の前端の弧形な弾圧部３３１と凹部３３２が緊密的に寄って抑圧してスペーシングを作り、ファスナー４の弾き出しを抑えることができ、更一歩にフレキシブル基板のスリップを有効に防止することができる。その同時に、導引腕３４の第一凸部３４１とフレキシブル基板１の抑圧し掴む作用が形成され、第二凸部３４２とプラグホール２１の内壁を寄り掛かることから支える作用が形成される。そのため、導引腕３４の反向変形を制限することができ、また第一凸部３４１がフレキシブル基板１に対しての抑圧作用が維持することもできる。そうすると、フレキシブル基板１と端子３との結合強さが大幅に昇格され、そしてフレキシブル基板１のスリップを有効に防止することができる。
【００１６】
また図５に示す如く、本考案はコネクターのプラグホール２１に他の弾片５を設置し、その弾片５とファスナー４の枢部４１はお互いに抑圧し、また弾片５と枢部４１の接触位置にファスナー４が閉めた後の凹型ファスナー５１と凸型ファスナー４１１を設置し、その凹型ファスナー５１と凸型ファスナー４１１によって更一歩にファスナー４のペーシングを強化する。そうすると、端子３の接触腕３２と支え腕３３の弾力変形作用がなくなった時、ファスナー２はまだ反向的な回転作用力を受けていない中に、そのファスナー２は弾き出さなくてフレキシブル基板１と端子３に安定的な抑圧作用をあげることができる。
【００１７】
上述したように、本考案が提供したコネクターは、フレキシブル基板１’に対しての結びつけの強さが予想のように達することができる他に、フレキシブル基板１’と電気回路間との結びつける性も維持でき、更にフレキシブル基板１’が電気回路の運動に従ってスリップされたことも有効に防止することができる。その故、本考案が提供したコネクターは産業での利用性が高くて実用性に合う物である。
【図面の簡単な説明】
【００１８】
【図１】コネクターとフレキシブル基板が挿置を実施した状態を示す説明図である。
【図２】本考案のコネクターの外観を示す説明図である。
【図３】本考案のコネクターとフレキシブル基板が挿置を実施した状態を示す説明図である。
【図４】本考案のコネクターとフレキシブル基板が挿置を実施した後の抑え状態を示す説明図である。
【図５】本考案のコネクターに、ファスナーと弾片の組み立て関係を示す説明図である。
【符号の説明】
【００１９】
１’      フレキシブル基板
２’      コネクター
２１’    プラグホール
２２’    端子
２３’    ファスナー
２２１’  接触腕 
２２２’  凸部
１      フレキシブル基板
２      本体
３      端子
４      ファスナー
５      弾片
２１    プラグホール
３１    基部
３２    接触腕
３３    支え腕 
３４    導引腕
４１    枢部
４２  空き穴
４３    回転枢
５１    凹型ファスナー
３３１  弾圧部
３３２  凹部
３４１  第一凸部
３４２  第二凸部
４１１  凸型ファスナー
【図１】
0003106783.tif 000003
【図２】
0003106783.tif 000004
【図３】
0003106783.tif 000005
【図４】
0003106783.tif 000006
【図５】
0003106783.tif 000007